(57)【特許請求の範囲】
【請求項１】
文字や画像などの表示情報を表示する表示手段と、前記表示手段のバックライトとして作用する照射手段と、撮像手段とを備え、前記撮像手段により撮影される画像を前記表示手段に表示するカメラ機能を有するカメラ付き携帯電話機において、
このカメラ機能を実行しないタイミングで前記撮像手段を動作させることにより、前記照射手段が前記表示手段を照射する照射レベルを、前記撮像手段における露出に基づいて調整する照射レベル調整手段とを備えたことを特徴とするカメラ付き携帯電話機。
【請求項２】
請求項１記載のカメラ付き携帯電話機において、
キーを配設してなるキー操作手段と、
本体に配設されたタッチセンサとを備え、
前記照射レベル調整手段は、前記キー操作手段にてキーが操作されたタイミングや、人体が前記タッチセンサに触れたタイミングなどで、前記照射レベルを調整することを特徴とするカメラ付き携帯電話機。
【請求項３】
請求項１または２記載のカメラ付き携帯電話機において、
基地局からのページングチャネルを検出するページングチャネル検出手段と、
前記表示手段に静電気対策のためのリフレッシュ動作を行わせるリフレッシュ動作制御手段とを備え、
前記照射レベル調整手段は、前記ページングチャネル検出手段が基地局からのページングチャネルを検出するタイミングや、前記リフレッシュ動作制御手段が前記表示手段に静電気対策のためのリフレッシュ動作を行わせるタイミングなどで、前記照射レベルを調整することを特徴とするカメラ付き携帯電話機。
【請求項４】
文字や画像などの表示情報を表示する表示手段と、前記表示手段のバックライトとして作用する照射手段と、撮像手段とを備え、前記撮像手段により撮影される画像を前記表示手段に表示するカメラ機能を有するカメラ付き携帯電話機に、
このカメラ機能を実行しないタイミングで前記撮像手段を動作させることにより、前記照射手段が前記表示手段を照射する照射レベルを、前記撮像手段における露出に基づいて調整する手順を実行させることを特徴とするプログラム。
【請求項５】
請求項４記載のプログラムにおいて、
前記手順を、キー操作手段にてキーが操作されたタイミングや、人体が本体に配設されたタッチセンサに触れたタイミングなどで実行させることを特徴とするプログラム。
【請求項６】
請求項４または５記載のプログラムにおいて、
前記手順を、基地局からのページングチャネルが検出されるタイミングや、前記表示手段が静電気対策のためのリフレッシュ動作を行うタイミングなどで実行させることを特徴とするプログラム。
【発明の詳細な説明】
【０００１】
【発明の属する技術分野】
本発明は、文字や画像などの表示情報を表示する表示手段と、前記表示手段のバックライトとして作用する照射手段と、撮像手段とを備えたカメラ付き携帯電話機ならびに前記カメラ付き携帯電話機にて実行されるプログラムに関する。
【０００２】
【発明が解決しようとする課題】
携帯電話機や携帯情報端末などの携帯端末は、例えば文字や画像などの表示情報を表示する液晶ディスプレイ（ＬＣＤ：Luquid Crystal Display）を備えると共に、液晶ディスプレイに表示される文字情報を明瞭にすべくバックライト用の例えばＬＥＤ（Light Emitting Diode）を備えて構成されているのが一般的である。
【０００３】
ところで、バックライト用のＬＥＤが例えば周知のライトガイド方式によって液晶ディスプレイを裏側から照射する透過型のものでは、バックライト用のＬＥＤが液晶ディスプレイを照射する照射レベルを相対的に大きく設定すると、周囲が極めて明るいような場合であっても、バックライト用のＬＥＤが照射する照射光が太陽光や室内の照明光よりも相対的に強いことから、液晶ディスプレイに表示される表示情報が明瞭となり、表示情報を的確に認識することができるものの、周囲が相対的に暗いような場合には、照射光が太陽光や室内の照明光よりも強過ぎることから、液晶ディスプレイに表示される表示情報を認識し難くなるという問題がある。
【０００４】
また、これとは反対に、バックライト用のＬＥＤが液晶ディスプレイを照射する照射レベルを相対的に小さく設定すると、周囲が相対的に暗いような場合であっても、照射光が太陽光や室内の照明光に応じた適度の強さであることから、液晶ディスプレイに表示される表示情報を的確に認識することができるものの、周囲が極めて明るいような場合には、照射光が太陽光や室内の照明光よりも弱過ぎることから、液晶ディスプレイに表示される表示情報を認識し難くなるという問題がある。
【０００５】
このような問題を解決することを目的として、ユーザが所定のキーを操作することに応じて、バックライト用のＬＥＤが液晶ディスプレイを照射する照射レベルを調整する構成が考えられているが、これでは、周囲の明るさが変化する都度、ユーザが照射レベルを調整するためにキーを操作する必要があり、その操作が煩わしいという問題がある。
【０００６】
また、周囲の明るさを検出するためのフォトセンサを設け、フォトセンサが検出した周囲の明るさに応じて、バックライト用のＬＥＤが液晶ディスプレイを照射する照射レベルを自動的に調整する構成が考えられているが、これでは、周囲の明るさを検出するための専用のフォトセンサを設ける分、コストが高騰したり、端末が大形化するなどの問題がある。
【０００７】
本発明は、上記した事情に鑑みてなされたものであり、その目的は、周囲の明るさを検出するための専用の部品を設けることなく、照射手段が表示手段を照射する照射レベルを周囲の明るさに応じて自動的に調整することができ、それによって、ユーザが表示手段に表示される表示情報を周囲の明るさに応じて的確に認識することができるカメラ付き携帯電話機ならびにプログラムを提供することにある。
【０００８】
【課題を解決するための手段】
請求項１に記載したカメラ付き携帯電話機によれば、文字や画像などの表示情報を表示する表示手段と、表示手段のバックライトとして作用する照射手段と、撮像手段とを備え、前記撮像手段により撮影される画像を前記表示手段に表示するカメラ機能を有するカメラ付き携帯電話機において、照射レベル調整手段は、このカメラ機能を実行しないタイミングで前記撮像手段を動作させることにより、照射手段が表示手段を照射する照射レベルを、撮像手段における露出に基づいて調整するように構成したので、撮像手段における露出が周囲の明るさに依存することから、照射手段が表示手段を照射する照射レベルを周囲の明るさに応じて自動的に調整することができ、これによって、ユーザは、表示手段に表示される表示情報を周囲の明るさに応じて的確に認識することができる。
【０００９】
具体的には、例えば照射手段が表示手段を裏側から照射する透過型のものでは、周囲が相対的に明るいような場合には、撮像手段における露出が相対的に小さくなることから、このとき、照射手段が表示手段を照射する照射レベルを相対的に大きくなるように設定し、また、これとは反対に、周囲が相対的に暗いような場合には、撮像手段における露出が相対的に大きくなることから、このとき、照射手段が表示手段を照射する照射レベルを相対的に小さくなるように設定しておくことによって、ユーザは、表示手段に表示される表示情報を周囲の明るさに応じて的確に認識することができる。また、このとき、元々備えらている撮像手段を利用していることから、周囲の明るさを検出するための専用の部品を設けることを不要とすることをもできる。
【００１０】
請求項２に記載したカメラ付き携帯電話機によれば、照射レベル調整手段は、照射手段が表示手段を照射する照射レベルを、キー操作手段にてキーが操作されたタイミングや、人体が本体に配設されたタッチセンサに触れたタイミングなどで調整するように構成したので、ユーザがキーを操作したり或いはタッチセンサに触れたりした後では、ユーザが表示手段に表示される表示情報を見る可能性が高いことから、ユーザの動作に応じた的確なタイミングで照射レベルを調整することができ、これによって、ユーザは、キーを操作したり或いはタッチセンサに触れたりした後では、表示手段に表示される表示情報を周囲の明るさに応じて速やかに的確に認識することができる。
【００１１】
請求項３に記載したカメラ付き携帯電話機によれば、照射レベル調整手段は、照射手段が表示手段を照射する照射レベルを、ページングチャネル検出手段が基地局からのページングチャネルを検出するタイミングや、リフレッシュ動作制御手段が表示手段に静電気対策のためのリフレッシュ動作を行わせるタイミングなどで調整するように構成したので、カメラ付き携帯電話機が例えば専用の置台に置かれていたり、鞄の中に収納されているような場合であっても、ユーザの動作に拘らず所定のタイミングで照射レベルを調整することができ、これによって、ユーザは、キーを操作したり或いはタッチセンサに触れたりしなくとも、表示手段に表示される表示情報を周囲の明るさに応じて速やかに的確に認識することができる。
【００１２】
請求項４に記載したプログラムによれば、そのプログラムを、文字や画像などの表示情報を表示する表示手段と、表示手段のバックライトとして作用する照射手段と、撮像手段とを備え、前記撮像手段により撮影される画像を前記表示手段に表示するカメラ機能を有するカメラ付き携帯電話機にインストールして実行すると、このカメラ機能を実行しないタイミングで撮像手段を動作させることにより、照射手段が表示手段を照射する照射レベルを、撮像手段における露出に基づいて調整する手順を実行するようになるので、上記した請求項１に記載したものと同様の作用効果を得ることができ、すなわち、ユーザは、表示手段に表示される表示情報を周囲の明るさに応じて的確に認識することができ、また、このとき、周囲の明るさを検出するための専用の部品を設けることを不要とすることをもできる。
【００１３】
請求項５に記載したプログラムによれば、キー操作手段にてキーが操作されたタイミングや、人体が本体に配設されたタッチセンサに触れたタイミングなどになると、照射手段が表示手段を照射する照射レベルを、撮像手段における露出に基づいて調整する手順を実行するようになるので、上記した請求項２に記載したものと同様の作用効果を得ることができ、すなわち、ユーザは、キーを操作したり或いはタッチセンサに触れたりした後では、表示手段に表示される表示情報を周囲の明るさに応じて速やかに的確に認識することができる。
【００１４】
請求項６に記載したプログラムによれば、基地局からのページングチャネルが検出されるタイミングや、表示手段が静電気対策のためのリフレッシュ動作を行うタイミングなどになると、照射手段が表示手段を照射する照射レベルを、撮像手段における露出に基づいて調整する手順を実行するようになるので、上記した請求項３に記載したものと同様の作用効果を得ることができ、すなわち、ユーザは、キーを操作したり或いはタッチセンサに触れたりしなくとも、表示手段に表示される表示情報を周囲の明るさに応じて速やかに的確に認識することができる。
【００１５】
【発明の実施の形態】
以下、本発明のカメラ付き携帯電話機を、バックライトが液晶ディスプレイを裏側から照射するように構成されたカメラ付き携帯電話機に適用した一実施例について、図面を参照して説明する。
まず、図２は、カメラ付き携帯電話機の外観斜視図を示している。カメラ付き携帯電話機１にあって、本体２の表面部には、送話音声を入力するマイクロホン３、受話音声を出力するスピーカ４、文字や画像などの表示情報を表示する液晶ディスプレイ５（本発明でいう表示手段）、「通話開始」キー、「通話終了」キー、「リダイヤル」キーおよび「０」〜「９」の「数字」キーなどの多数のキーを配列してなるキーパッド６（本発明でいうキー操作手段）ならびに着信したときなどに点滅するＬＥＤ（Light Emitting Diode）７が配設されている。また、液晶ディスプレイ５の裏側の所定部位には、バックライト用のＬＥＤ８（本発明でいう照射手段）が配設されており、バックライト用のＬＥＤ８は、液晶ディスプレイ５を裏側から照射するように構成されている。
【００１６】
本体２の裏面部には、着信したときに着信音（着信メロディを含む）を出力するサウンダ９、例えばＣＭＯＳ（Complementary Metal Oxide Semiconductor ）イメージセンサからなるカメラ１０（本発明でいう撮像手段）ならびにミラー１１１が配設されている。さらに、本体２の上部には、アンテナ１２が配設されていると共に、本体２の両側面部には、タッチセンサ１３を構成する一対の電極１３ａ，１３ｂが配設されている。
【００１７】
このような構成では、ユーザは、自分を撮像対象物に含めずに撮像する場合であれば、カメラ１０を撮像対象物側に向けるようにしてカメラ付き携帯電話機１を例えば手に持つと、カメラ１０により撮像される画像が液晶ディスプレイ５に表示されることによって、カメラ１０により撮像される画像を認識することができ、また、自分を撮像対象物に含めて撮像する場合であれば、カメラ１０を自分側に向けるようにしてカメラ付き携帯電話機１を例えば所定の場所にセットすると、カメラ１０により撮像される画像がミラー１１に映されることによって、カメラ１０により撮像される画像を認識することができる。
【００１８】
また、タッチセンサ１３は、例えば誤動作防止モードを自動的に解除することを主たる目的として配設されているものであり、すなわち、カメラ付き携帯電話機１においては、例えば鞄の中などに収納されている状態で、キーパッド６のいずれかのキーが鞄の中の収納物と接触することによって、カメラ付き携帯電話機１が誤動作してしまうことを回避するために誤動作防止機能を備えており、ユーザがカメラ付き携帯電話機１を手に持つと、タッチセンサ１３の電極１３ａ，１３ｂ間に人体を通じて微弱電流が流れ、誤動作防止モードが自動的に解除されるようになっている。
【００１９】
次に、図１は、上記したカメラ付き携帯電話機１の電気的な構成を機能ブロック図として示している。マイクロコンピュータを主体としてなるＣＰＵ（Central Processing Unit ）１４（本発明でいう照射レベル調整手段、ページングチャネル検出手段、リフレッシュ動作制御手段）には、電話処理を行う電話回路１５、カメラ付き携帯電話機１の動作全般を制御するプログラムを記憶しているＲＯＭ（Read Only Memory）１６、例えば発信履歴、着信履歴ならびにアドレス帳などの各種の情報を書込ならびに読出が可能なＲＡＭ（Random Access Memory）１７、上記したマイクロホン３、スピーカ４、液晶ディスプレイ５、キーパッド６、ＬＥＤ７、バックライト用のＬＥＤ８、サウンダ９、カメラ１０ならびにタッチセンサ１３が接続されている。
【００２０】
この場合、キーパッド６は、いずれかのキーが操作されると、キー操作検出信号をＣＰＵ１４に出力する。タッチセンサ１３は、有効状態に設定されているときには、人体が電極１３ａ，１３ｂの双方に触れたことに応じて、電極１３ａ，１３ｂ間に人体を通じて微弱電流が流れると、通電検出信号をＣＰＵ１４に出力する。
【００２１】
ＣＰＵ１４は、カメラ付き携帯電話機１に電源が投入されているときに、キーパッド６からキー操作検出信号を入力したり或いはタッチセンサ１３から通電検出信号を入力すると、蓄積時間要求信号をカメラ１０に出力する。カメラ１０は、ＣＰＵ１４から蓄積時間要求信号を入力すると、その撮像動作に係る露出に応じた蓄積時間を算出し、その算出した蓄積時間を含む蓄積時間信号をＣＰＵ１４に出力する。尚、このとき、カメラ１０における露出は、周囲の明るさに依存することから、蓄積時間も、周囲の明るさに依存することになる。そして、ＣＰＵ１４は、カメラ１０から蓄積時間信号を入力すると、その入力した蓄積時間信号に含まれている蓄積時間に基づいて、バックライト用のＬＥＤ８の動作電流を決定し、バックライト用のＬＥＤ８が液晶ディスプレイ５を照射する照射レベルを決定し、バックライト用のＬＥＤ８が当該決定した照射レベルで液晶ディスプレイ５を照射するように調光する。
【００２２】
また、ＣＰＵ１４は、カメラ付き携帯電話機１に電源が投入されているときに、基地局からのペ−ジングチャネルを間欠的に検出すると共に、液晶ディスプレイ５に静電気対策のリフレッシュ動作を間欠的に行わせるために、リフレッシュ信号を液晶ディスプレイ５に間欠的に出力するようになっており、これらペ−ジングチャネルを間欠的に検出するとき或いはリフレッシュ信号を液晶ディスプレイ５に出力するときにも、蓄積時間要求信号をカメラ１０に出力する。そして、ＣＰＵ１４は、このときも、カメラ１０から露出に応じた蓄積時間を含む蓄積時間信号を入力すると、その入力した蓄積時間信号により含まれている蓄積時間に基づいて、バックライト用のＬＥＤ８の動作電流を決定し、バックライト用のＬＥＤ８が液晶ディスプレイ５を照射する照射レベルを決定し、バックライト用のＬＥＤ８が当該決定した照射レベルで液晶ディスプレイ５を照射するように調光する。
【００２３】
次に、上記した構成の作用について、図３ないし図７も参照して説明する。尚、以下の説明においては、ＣＰＵ１４が実行するプログラムの手順に応じて、
（１）ＣＰＵ１４が調光タイミングを設定する処理
（２）ＣＰＵ１４が調光タイミングにて調光する処理
に分けて順次説明する。
【００２４】
（１）ＣＰＵ１４が調光タイミングを設定する処理
まず、ＣＰＵ１４が調光タイミングを設定する処理について、図３に示すフローチャートを参照して説明する。ＣＰＵ１４は、調光タイミングを設定する画面を表示させる操作が行われたことを検出すると（ステップＳ１にて「ＹＥＳ」）、図５に示すような調光タイミングを設定する画面を液晶ディスプレイ５に表示させる（ステップＳ２）。
【００２５】
さて、ここで、ユーザは、いずれかのキーが操作されたタイミング、人体がタッチセンサ１３に触れたタイミング、ＣＰＵ１４が基地局からのページングチャネルを検出するタイミング、ＣＰＵ１４が液晶ディスプレイ５に静電気対策のリフレッシュ動作を行わせるタイミングの個々について、調光タイミングとして設定するか否かを選択することができ、つまり、これらのタイミングのうちから少なくとも一つ以上を調光タイミングとして設定することができる。
【００２６】
すなわち、ＣＰＵ１４は、調光タイミングを設定する画面上で、「キー操作」を選択する操作が行われ、その選択された「キー操作」を調光タイミングとして設定する操作（図５では「＊（アスタリスク）」キーを押下する操作）が行われたことを検出すると（ステップＳ３にて「ＹＥＳ」）、いずれかのキーが操作されたタイミングを調光タイミングとして設定する（ステップＳ４）。また、ＣＰＵ１４は、調光タイミングを設定する画面上で、「タッチセンサ」を選択する操作が行われ、その選択された「タッチセンサ」を調光タイミングとして設定する操作が行われたことを検出すると（ステップＳ５にて「ＹＥＳ」）、人体がタッチセンサ１３に触れたタイミングを調光タイミングとして設定する（ステップＳ６）。
【００２７】
また、ＣＰＵ１４は、調光タイミングを設定する画面上で、「ページングチャネル」を選択する操作が行われ、その選択された「ページングチャネル」を調光タイミングとして設定する操作が行われたことを検出すると（ステップＳ７にて「ＹＥＳ」）、自己が基地局からのページングチャネルを検出するタイミングを調光タイミングとして設定する（ステップＳ８）。さらに、ＣＰＵ１４は、調光タイミングを設定する画面上で、「ＬＣＤのリフレッシュ」を選択する操作が行われ、その選択された「ＬＣＤのリフレッシュ」を調光タイミングとして設定する操作が行われたことを検出すると（ステップＳ９にて「ＹＥＳ」）、自己が液晶ディスプレイ５に静電気対策のリフレッシュ動作を行わせるタイミングを調光タイミングとして設定する（ステップＳ１０）。
【００２８】
（２）ＣＰＵ１４が調光タイミングにて調光する処理
次に、ＣＰＵ１４が調光タイミングにて調光する処理について、図４に示すフローチャートを参照して説明する。ＣＰＵ１４は、上記した（１）ＣＰＵ１４が調光タイミングを設定する処理において、いずれかのキーが操作されたタイミングを調光タイミングとして設定しているときには（ステップＳ１１にて「ＹＥＳ」）、いずれかのキーが操作されたか否かを判定し（ステップＳ１２）、また、人体がタッチセンサ１３に触れたタイミングを調光タイミングとして設定しているときには（ステップＳ１３にて「ＹＥＳ」）、人体がタッチセンサ１３に触れたか否かを判定する（ステップＳ１４）。
【００２９】
また、ＣＰＵ１４は、基地局からのページングチャネルを検出するタイミングを調光タイミングとして設定しているときには（ステップＳ１５にて「ＹＥＳ」）、基地局からのページングチャネルを検出するタイミングになったか否かを判定し（ステップＳ１６）、さらに、液晶ディスプレイ５に静電気対策のリフレッシュ動作を行わせるタイミングを調光タイミングとして設定しているときには  （ステップＳ１７にて「ＹＥＳ」）、液晶ディスプレイ５に静電気対策のリフレッシュ動作を行わせるタイミングになったか否かを判定する（ステップＳ１８）。
【００３０】
ここで、ＣＰＵ１４は、いずれかのキーが操作されたタイミングを調光タイミングとして設定しており、いずれかのキーが操作されたことを検出すると（ステップＳ１２にて「ＹＥＳ」）、蓄積時間要求信号をカメラ１０に出力する。そして、ＣＰＵ１４は、カメラ１０から露出に応じた蓄積時間を含む蓄積時間信号を入力すると、その入力した蓄積時間信号に含まれている蓄積時間に基づいて、バックライト用のＬＥＤ８の動作電流を決定し、バックライト用のＬＥＤ８が液晶ディスプレイ５を照射する照射レベルを決定する（ステップＳ１９）。
【００３１】
具体的には、ＣＰＵ１４は、本実施例では、バックライト用のＬＥＤ８が液晶ディスプレイ５を裏側から照射する透過型の構成であることから、図６に示すように、カメラ１０から入力した蓄積時間信号に含まれている蓄積時間が相対的に短いときには、バックライト用のＬＥＤ８の動作電流を相対的に大きく決定し、バックライト用のＬＥＤ８が液晶ディスプレイ５を照射する照射レベルを相対的に大きく決定する。これに対して、ＣＰＵ１４は、カメラ１０から入力した蓄積時間信号に含まれている蓄積時間が相対的に長いときには、バックライト用のＬＥＤ８の動作電流を相対的に小さく決定し、バックライト用のＬＥＤ８が液晶ディスプレイ５を照射する照射レベルを相対的に小さく決定する。
【００３２】
そして、ＣＰＵ１４は、その時点で、バックライト用のＬＥＤ８に液晶ディスプレイ５を照射させているか否かを判定し（ステップＳ２０）、バックライト用のＬＥＤ８に液晶ディスプレイ５を照射させていなければ（ステップＳ２０にて「ＮＯ」）、バックライト用のＬＥＤ８に先に決定した照射レベルで液晶ディスプレイ５の照射を開始させる（ステップＳ２１）。これに対して、ＣＰＵ１４は、既にバックライト用のＬＥＤ８に液晶ディスプレイ５を照射させていれば、その照射レベルを、先に決定した照射レベルに変更させる（ステップＳ２２）。
【００３３】
そして、ＣＰＵ１４は、照射を停止すべきタイミングになったか否かを判定し（ステップＳ２３）、照射を停止すべきタイミングになったことを検出すると、（ステップＳ２３にて「ＹＥＳ」）、バックライト用のＬＥＤ８に液晶ディスプレイ５の照射を停止させる（ステップＳ２４）。尚、ここでいう照射を停止すべきタイミングとは、例えばバックライト用のＬＥＤ８が液晶ディスプレイ５の照射を開始してから、いずれのキーも操作されない状態ならびに人体がタッチセンサ１３に触れない状態が所定時間（例えば１０秒間）継続した時点のタイミングなどである。このような制御によって、カメラ付き携帯電話機１は、調光タイミングを設定する画面上で、「キー操作」が設定されると、これ以降、いずれかのキーが操作されると、バックライト用のＬＥＤ８が液晶ディスプレイ５を照射する照射レベルを、その時点での周囲の明るさに応じて調整することになる。
【００３４】
また、ＣＰＵ１４は、人体がタッチセンサ１３に触れたタイミングを調光タイミングとして設定しており、人体がタッチセンサ１３に触れたことを検出すると（ステップＳ１４にて「ＹＥＳ」）、これ以降、上記したステップＳ１９〜Ｓ２４の処理を実行する。このような制御によって、カメラ付き携帯電話機１は、調光タイミングを設定する画面上で、「タッチセンサ」が設定されると、これ以降、人体がタッチセンサ１３に触れると、バックライト用のＬＥＤ８が液晶ディスプレイ５を照射する照射レベルを、その時点での周囲の明るさに応じて調整することになる。
【００３５】
また、ＣＰＵ１４は、基地局からのページングチャネルを検出するタイミングを調光タイミングとして設定しており、基地局からのページングチャネルを検出するタイミングになったことを検出すると（ステップＳ１６にて「ＹＥＳ」）、これ以降、上記したステップＳ１９〜Ｓ２４の処理を実行する。このような制御によって、カメラ付き携帯電話機１は、調光タイミングを設定する画面上で、  「ページングチャネル」が設定されると、これ以降、ＣＰＵ１４が基地局からのページングチャネルを検出するタイミングになると、バックライト用のＬＥＤ８が液晶ディスプレイ５を、その時点での周囲の明るさに応じて照射する照射レベルを調整することになる。
【００３６】
さらに、ＣＰＵ１４は、液晶ディスプレイ５に静電気対策のリフレッシュ動作を行わせるタイミングを調光タイミングとして設定しており、液晶ディスプレイ５に静電気対策のリフレッシュ動作を行わせるタイミングになったことを検出すると（ステップＳ１８にて「ＹＥＳ」）、これ以降、上記したステップＳ１９〜Ｓ２４の処理を実行する。このような制御によって、カメラ付き携帯電話機１は、調光タイミングを設定する画面上で、「ＬＣＤのリフレッシュ」が設定されると、これ以降、ＣＰＵ１４が液晶ディスプレイ５に静電気対策のリフレッシュ動作を行わせるタイミングになると、バックライト用のＬＥＤ８が液晶ディスプレイ５を照射する照射レベルを、その時点での周囲の明るさに応じて調整することになる。
【００３７】
ところで、以上は、バックライト用のＬＥＤ８が液晶ディスプレイ５を裏側から照射する透過型のものに適用した場合を説明したものであるが、バックライト用のＬＥＤが液晶ディスプレイを表側から照射する反射型のものに適用した場合には、反射型のものは、透過型のものとは異なって、太陽光や室内の照明光を利用する構造であることから、図７に示すように、透過型のものとは反対となり、カメラの露出に応じた蓄積時間が相対的に短いときには、バックライト用のＬＥＤが液晶ディスプレイを照射する照射レベルを相対的に小さく決定し、これに対して、カメラの露出に応じた蓄積時間が相対的に長いときには、バックライト用のＬＥＤが液晶ディスプレイを照射する照射レベルを相対的に大きく決定することになる。
【００３８】
以上に説明したように本実施例によれば、カメラ付き携帯電話機１において、バックライト用のＬＥＤ８が液晶ディスプレイ５を照射する照射レベルを、カメラ１０における露出に応じた蓄積時間に基づいて調整するように構成したので、露出に応じた蓄積時間が周囲の明るさに依存することから、バックライト用のＬＥＤ８が液晶ディスプレイ５を照射する照射レベルを周囲の明るさに応じて自動的に調整することができ、これによって、ユーザは、液晶ディスプレイ５に表示される表示情報を周囲の明るさに応じて的確に認識することができる。また、このとき、元々備えているカメラ１０を利用していることから、周囲の明るさを検出するための専用の例えばフォトセンサなどの部品を設けることを不要とすることをもできる。
【００３９】
また、このようにバックライト用のＬＥＤ８が液晶ディスプレイ５を裏側から照射する透過型のものでは、カメラ１０における露出に応じた蓄積時間が相対的に長く、つまり、周囲が相対的に暗い場合には、バックライト用のＬＥＤ８が液晶ディスプレイ５を照射する照射レベルを相対的に小さく決定するように構成したので、バックライト用のＬＥＤ８の動作電流が必要以上に大きくなることがなく、カメラ付き携帯電話機１全体としての消費電流を抑えることをもできる。
【００４０】
また、このとき、バックライト用のＬＥＤ８が液晶ディスプレイ５を照射する照射レベルを、いずれかのキーが操作されたタイミングや、人体がタッチセンサ１３に触れたタイミングなどで調整するように構成したので、ユーザがキーを操作したり或いはタッチセンサ１３に触れたりした後では、ユーザが液晶ディスプレイ５に表示される表示情報を見る可能性が高いことから、ユーザの動作に応じた的確なタイミングで照射レベルを調整することができ、これによって、ユーザは、キーを操作したり或いはタッチセンサ１３に触れたりした後では、液晶ディスプレイ５に表示される表示情報を周囲の明るさに応じて速やかに的確に認識することができる。
【００４１】
さらに、このとき、バックライト用のＬＥＤ８が液晶ディスプレイ５を照射する照射レベルを、ＣＰＵ１４が基地局からのページングチャネルを検出するタイミングや、ＣＰＵ１４が液晶ディスプレイ５に静電気対策のためのリフレッシュ動作を行わせるタイミングなどでも調整するように構成したので、カメラ付き携帯電話機１が例えば専用の置台に置かれていたり、鞄の中に収納されているような場合であっても、ユーザの動作に拘らず所定のタイミングで照射レベルを調整することができ、これによって、ユーザは、キーを操作したり或いはタッチセンサ１３に触れたりしなくとも、液晶ディスプレイ５に表示される表示情報を周囲の明るさに応じて速やかに的確に認識することができる。
【００４２】
本発明は、上記した実施例にのみ限定されるものでなく、次のように変形または拡張することができる。
カメラ付き携帯電話機に適用する構成に限らず、カメラを搭載した携帯情報端末などの他のものに適用する構成であっても良い。
【００４３】
バックライト用のＬＥＤが液晶ディスプレイを裏側から照射する透過型のものや、バックライト用のＬＥＤが液晶ディスプレイを表側から照射する反射型のものに適用する構成に限らず、半透過型ものに適用する構成であっても良く、その場合には、その半透過型の特性に応じて照射レベルを決定するように構成すれば良い。
【００４４】
いずれかのキーが操作されたタイミングが調光タイミングとして設定されているときに、いずれかのキーが操作される毎に調光する構成に限らず、例えばいずれかのキーが操作されて調光してから所定時間が経過するまでの間は、いずれかの別のキーが操作されたとしても、調光しない構成であっても良い。また、人体がタッチセンサに触れたタイミングが調光タイミングとして設定されているときに、人体がタッチセンサに触れる毎に調光する構成に限らず、例えば人体がタッチセンサに触れて調光してから所定時間が経過するまでの間は、人体がタッチセンサに再度触れたとしても、調光しない構成であっても良い。
【００４５】
バックライト用のＬＥＤが液晶ディスプレイを照射する照射レベルが、カメラにおける露出に応じた蓄積時間に対して、直線的に変化する構成に限らず、段階的に変化する構成であっても良い。
【００４６】
カメラ付き携帯電話機が実行するプログラムは、最初（例えば製品化の段階）からカメラ付き携帯電話機に記憶されているものに限らず、例えば特定のサーバからネットワークを通じてカメラ付き携帯電話機にダウンロードされたり或いはＣＤ−ＲＯＭやカードなどの記録媒体から転送されてインストールされるものであっても良い。
【図面の簡単な説明】
【図１】本発明の一実施例を示す機能ブロック図
【図２】外観斜視図
【図３】フローチャート
【図４】図３相当図
【図５】表示の一例を示す図
【図６】蓄積時間と照射レベルとの相関関係を示す図
【図７】図６相当図
【符号の説明】
図面中、１はカメラ付き携帯電話機、２は本体、５は液晶ディスプレイ（表示手段）、６はキーパッド（キー操作手段）、８はバックライト用のＬＥＤ（照射手段）、１０はカメラ（撮像手段）、１３はタッチセンサ、１４はＣＰＵ（照射レベル調整手段、ページングチャネル検出手段、リフレッシュ動作制御手段）である。
【図１】
0003767415.tif 000002
【図２】
0003767415.tif 000003
【図３】
0003767415.tif 000004
【図４】
0003767415.tif 000005
【図５】
0003767415.tif 000006
【図６】
0003767415.tif 000007
【図７】
0003767415.tif 000008